(57)【要約】【課題】ＣＬＶ方式の光記録媒体に情報を記録する際に、クロスイレーズを防止し、良好な記録を行うことのできる光ディスク記録装置を提供する。【解決手段】正弦波状にウォブリングされたグルーブＧ０を有する光ディスクに、所定の記録パワーのレーザ光により情報を記録する光ディスク記録装置であって、グルーブＧ０と隣接するグルーブＧ１，Ｇ２とから得られる再生信号レベルを検出して、所定レベルに対する、得られた前記再生信号レベルのレベル差を検出するレベル差検出手段と、前記再生信号から記録クロックを生成するクロック生成回路１６と、前記記録クロックと同期する、記録すべき記録信号を生成する記録信号生成回路１８と、前記レベル差に基づいて選択された、前記レベル差に対応して予め設定された前記記録パワーにより、前記記録信号を記録する記録手段とを有する。【選択図】　　　図４
2004127348.tif 000002
【特許請求の範囲】
【請求項１】
所定の周波数で正弦波状にウォブリングされた情報記録用グルーブを有する光ディスクに、所定の記録パワーのレーザ光により情報を記録する光ディスク記録装置であって、
前記情報記録用グルーブとランドを介して隣接する情報記録用グルーブとから得られる再生信号レベルを検出して、所定レベルに対する、得られた前記再生信号レベルのレベル差を検出するレベル差検出手段と、
前記再生信号から記録クロックを生成するクロック生成手段と、
前記記録クロックと同期する、記録すべき記録信号を生成する記録信号生成手段と、
前記レベル差に基づいて選択された、前記レベル差に対応して予め設定された前記記録パワーにより、前記記録信号を記録する記録手段と、を有することを特徴とする光ディスク記録装置。
【発明の詳細な説明】
【０００１】
【発明の属する技術分野】
本発明は光ディスク記録装置に係り、特に、所定の周波数でウォブリングされた情報記録用グルーブを有する、ＣＬＶ方式の光記録媒体にクロスイレーズ無く良好に情報を記録するのに好適な光ディスク記録装置に関するものである。
【０００２】
【従来の技術】
従来から情報を記録再生できる光記録媒体として、ＤＶＤ−ＲやＤＶＤ−ＲＷなどの光ディスクが知られている。これらの光ディスクにおいては、記録フォーマットとして、一定の線速度で情報の記録を行うＣＬＶ方式が採用されている。
【０００３】
ＣＬＶ方式の光ディスクにおいては、記録再生用のグルーブが内周から外周まで記録周波数に比例した一定の周波数によってウォブリングされて形成されている。光ディスク記録再生装置により、この光ディスクに情報を記録再生するときには、このウォブリング周波数を検出することにより、線速度一定となるようにスピンドルモータの回転を制御することが出来、また所定周波数の記録クロックを正確に生成することが出来るようになっている。このように、線速度及び記録クロック周波数が一定となっているため、情報を記録する際には、光ディスク上のどの位置においてもほぼ同条件のレーザパワーで記録することを可能としている。
【０００４】
さらに、光ディスク上にキャリブレーション領域が設けられていれば、情報を記録する前に試し書きを行うことにより、記録パワー条件を最適化することが出来るので、記録品質を高めることも可能である（例えば、特許文献１参照）。
【０００５】
【特許文献１】
特開平６−４４５６３号公報（第２−４頁、第３図）
【０００６】
【発明が解決しようとする課題】
ところで、図１４は、互いに隣接するグルーブにおけるウォブル位相を示す図である。
同図に、光記録媒体（光ディスク）上に形成された、グルーブＧ０と、これに隣接するグルーブＧ１及びＧ２が示される。グルーブＧ０とグルーブＧ１の間がランドＬＢ、グルーブＧ０とグルーブＧ２の間がランドＬＣになる。
グルーブＧ０、Ｇ１、Ｇ２はウォブルしている。
【０００７】
ＣＬＶ方式で記録を行う光ディスクにおいては、図１４のＡ部に示すように、隣接するグルーブ間（ここでは、グルーブＧ０とグルーブＧ１）のウォブル位相が逆位相となる箇所が存在する。この逆位相になる箇所では、隣接グルーブが極めて近づくので、このような箇所においては、情報（データ）をグルーブ上に記録する際に、隣接グルーブ上に既に記録されているデータを消去してしまう、いわゆるクロスイレーズという問題が生じる。
【０００８】
ウォブルが逆位相となる箇所においても、クロスイレーズが起きることのないようにレーザパワーの条件を予め低めに設定しておけば、この問題は回避することが可能である。しかし、その場合は、逆位相ではない、すなわちクロスイレーズの心配の少ない他の箇所では、相対的に低いパワー条件で記録されることになり、結果的に記録品質を落とすことになるので、再生時のエラーレート劣化が生じてしまう。
【０００９】
また、上述したキャリブレーション領域で記録パワーを最適化する場合においても、記録品質を高めることは可能であるが、クロスイレーズを考慮したものではないので、同様の問題が生じる。さらに、キャリブレーション領域とデータ領域が隣接している場合には、試し書き記録の際にもクロスイレーズが生じる恐れがあるという問題がある。
【００１０】
そこで本発明は上記の問題点に鑑みてなされたものであり、ＣＬＶ方式の光記録媒体に情報を記録する際に、クロスイレーズを防止し、良好な記録を行うことのできる光ディスク記録装置を提供することを目的とする。
【００１１】
【課題を解決するための手段】
上記目的を達成するための手段として、本発明は、所定の周波数で正弦波状にウォブリングされた情報記録用グルーブＧ０を有する光ディスクに、所定の記録パワーのレーザ光により情報を記録する光ディスク記録装置であって、前記情報記録用グルーブＧ０とランドを介して隣接する情報記録用グルーブＧ１，Ｇ２とから得られる再生信号レベルを検出して、所定レベルに対する、得られた前記再生信号レベルのレベル差を検出するレベル差検出手段（位相ズレ検出回路１５）と、前記再生信号から記録クロックを生成するクロック生成手段（クロック生成回路１６）と、前記記録クロックと同期する、記録すべき記録信号を生成する記録信号生成手段（記録データ生成回路１８）と、前記レベル差に基づいて選択された、前記レベル差に対応して予め設定された前記記録パワーにより、前記記録信号を記録する記録手段（パワー制御回路１９、レーザ駆動回路１７）と、を有することを特徴とする光ディスク記録装置である。
【００１２】
【発明の実施の形態】
以下、本発明の実施の形態につき、好ましい実施例により、図面を参照して説明する。
＜実施例＞
まず、光ディスク記録装置の実施例における光ピックアップ部について説明する。
【００１３】
図１は、本発明の光ディスク記録装置の実施例における光ピックアップを示す構成図である。
同図に示すように、ピックアップ（以下、単にＰＵともいう）１０のレーザ１は後述するレーザ駆動回路１７（図３参照）からのレーザ駆動信号に従って、記録用又は再生用のレーザビームＲを出射する。
【００１４】
出射したレーザビームＲはコリメータレンズ２に入射して平行光となって出射し、回折素子３に入射する。回折格子３において、レーザビームＲはメインビームＲＢＡと２つのサイドビームＲＢＢ、ＲＢＣとに分割され、回折格子３から出射する。メインビームＲＢＡと２つのサイドビームＲＢＢ、ＲＢＣはビームスプリッタ４を通過した後、対物レンズ５によって光ディスク６上に照射される。
【００１５】
光ディスク６上におけるメインビームＲＢＡと２つのサイドビームＲＢＢ、ＲＢＣの位置は、図２に示される。
図２は、メインビームと２つのサイドビームの光ディスク上での照射位置を示す図である。
図２に示すようにメインビームＲＢＡのスポットは、円盤状の光ディスク６のタンジェンシャル方向に形成されているグルーブＧ０上に、２つのサイドビームＲＢＢ及びＲＢＣのスポットは、グルーブＧ０にラジアル方向に隣接するランドＬＢ及びＬＣ上に、それぞれ照射される。
【００１６】
図１に戻り、光ディスク６から反射されたメインビームＲＢＡ及び２つのサイドビームＲＢＢ及びＲＢＣに対応する反射光ＲＡ，ＲＢ，ＲＣは対物レンズ５をそれぞれ通過した後、ビームスプリッタ４に入射して検出レンズ７側へ反射され、出射する。
検出レンズ７により、メインビームＲＢＡに対応する反射光ＲＡは光検出器８Ａに、２つのサイドビームＲＢＢ及びＲＢＣに対応する反射光ＲＢ及びＲＣはそれぞれ光検出器８Ｂ及び８Ｃに集光される。
【００１７】
光検出器８Ａでは、メインビームＲＢＡに対応する反射光ＲＡは半径（ラジアル）方向と円周（タンジェンシャル）方向に対応して４分割された受光部にて検出され、グルーブＧ０の検出信号ＳＡ１、ＳＡ２、ＳＡ３及びＳＡ４が出力される。
光検出器８Ｂ及び８Ｃでは、サイドビームＲＢＢ及びＲＢＣに対応する反射光ＲＢ及びＲＣはそれぞれ光ディスク６上の半径（ラジアル）方向に対応して２分割された受光部にて検出され、ランドＬＢ及びＬＣの検出信号ＳＢ１、ＳＢ２及びＳＣ１、ＳＣ２が出力される。
【００１８】
次に、上述のピックアップ（ＰＵ）１０を含めた、本実施例の光ディスク記録装置について説明する。
図３は、本発明の光ディスク記録装置の実施例を示す構成図である。
ＰＵ１０は、上述のように、レーザビームＲをメインビームＲＢＡと２つのサイドビームＲＢＢ及びＲＢＣに分割して、光ディスク６上のグルーブＧ及び隣接する２つのランドＬＢ及びＬＣ上にそれぞれを照射し、その反射光ＲＡ，ＲＢ，ＲＣをそれぞれ検出してグルーブＧ０の検出信号ＳＡ１〜ＳＡ４とランドＬＢ及びＬＣの検出信号ＳＢ１、ＳＢ２及びＳＣ１、ＳＣ２を出力する。
【００１９】
グルーブＧ０の検出信号ＳＡ１〜ＳＡ４は再生信号検出回路１１、フォーカスエラー検出回路１２、トラッキングエラー検出回路１３及びウォブル信号検出回路１４にそれぞれ出力される。
ランドＬＢの検出信号ＳＢ１、ＳＢ２及びランドＬＣの検出信号ＳＣ１、ＳＣ２はトラッキングエラー検出回路１３及び位相ズレ検出回路１５へとそれぞれ出力される。
【００２０】
再生信号検出回路１１はＳＡ１＋ＳＡ２＋ＳＡ３＋ＳＡ４なる演算にて再生信号を検出して、再生信号処理回路５０に出力する。再生信号処理回路５０は、波形等化回路４２、２値化回路４３、ＰＬＬ回路４５及び復号回路４４より構成されている。再生信号処理回路５０は再生情報を出力する。
フォーカスエラー検出回路１２は、（ＳＡ１＋ＳＡ３）−（ＳＡ２＋ＳＡ４）なる演算にてフォーカスエラー信号を検出して、これをサーボ回路４１に出力する。
【００２１】
トラッキングエラー検出回路１３は、（ＳＡ１＋ＳＡ２−ＳＡ３−ＳＡ４）−ｋ（ＳＢ１−ＳＢ２＋ＳＣ１−ＳＣ２）なる演算（ここで、ｋは定数）にてＤ−ＰＰ（差動プッシュプル）法によるトラッキングエラー信号を検出して、これをサーボ回路４１に出力する。
サーボ回路４１に送られたフォーカスエラー信号及びトラッキングエラー信号は、ＰＵ１０のフォーカス制御及びトラッキング制御に用いられる。
【００２２】
ウォブル信号検出回路１４では、（ＳＡ１＋ＳＡ２−ＳＡ３−ＳＡ４）なる演算の後、ＢＰＦ（バンドパスフィルタ）によってウォブル信号が抽出され、クロック生成回路１６へと出力される。クロック生成回路１６ではウォブル信号に位相同期し、かつウォブル信号周波数ｆｗに対してｆｃ／ｆｗ倍（ｆｃは記録クロック周波数）となる周波数のクロックを生成し、これを記録クロックとして記録データ生成回路１８へと出力する。記録データ生成回路１８では記録クロックとＣＰＵ２０を介して送られてきた記録情報に基づいて記録データを生成し、レーザ駆動回路１７へと出力する。
【００２３】
位相ズレ検出回路１５（又は１５Ａ）ではランドＬＢ及びランドＬＣの検出信号ＳＢ１、ＳＢ２及びＳＣ１、ＳＣ２からメインビームＲＢＡが照射するグルーブのウォブルとこれに隣接するグルーブのウォブルとの位相ズレを検出する。
以下、これについて詳しく説明する。
図４は、本発明の光ディスク記録装置の実施例における第１の位相ズレ検出回路を示す構成図である。
同図に示すように、第１の位相ズレ検出回路１５において、ラジアルプッシュプル信号検出回路（以下、単にＲ−ＰＰ信号検出回路という）２１は、ランドＬＢの検出信号の差（ＳＢ１−ＳＢ２）を演算し、ラジアルプッシュプル信号ＰＢとしてＢＰＦ（バンドパスフィルタ）２３へと出力する。
【００２４】
ＢＰＦ２３はラジアルプッシュプル信号ＰＢからウォブル周波数に対応した信号成分を抽出し、抽出信号ＷＢを振幅検出回路２５へ出力する。
振幅検出回路２５では抽出信号ＷＢの振幅の大きさを振幅値ＭＢとして検出し、加算回路２７へ出力する。
同様にラジアルプッシュプル信号検出回路（以下、単にＲ−ＰＰ信号検出回路という）２２はランドＬＣの検出信号の差（ＳＣ１−ＳＣ２）を演算し、ラジアルプッシュプル信号ＰＣとしてＢＰＦ（バンドパスフィルタ）２４へと出力する。
【００２５】
ＢＰＦ２４はラジアルプッシュプル信号ＰＣからウォブル周波数に対応した信号成分を抽出し、抽出信号ＷＣを振幅検出回路２６へ出力する。
振幅検出回路２６では抽出信号ＷＣの振幅の大きさを振幅値ＭＣとして検出し、加算回路２７へ出力する。
加算回路２７では振幅値ＭＢ及びＭＣを加算して、それを位相ズレ情報として出力する。
【００２６】
ここで、この第１の位相ズレ検出回路の原理について、図６乃至１１及び図１２を用いて説明する。
図６は、互いに隣接ずるグルーブ間のウォブル位相が同位相の場合におけるグルーブを示す図である。図７は、互いに隣接ずるグルーブ間のウォブル位相が同位相の場合において、Ｒ−ＰＰ信号検出回路による検出信号を示すグラフ図である。
【００２７】
図８は、互いに隣接ずるグルーブ間のウォブル位相が（１／２）×πずれた場合におけるグルーブを示す図である。図９は、互いに隣接ずるグルーブ間のウォブル位相が（１／２）×πずれた場合において、Ｒ−ＰＰ信号検出回路による検出信号を示すグラフ図である。
図１０は、互いに隣接ずるグルーブ間のウォブル位相が逆位相の場合におけるグルーブを示す図である。図１１は、互いに隣接ずるグルーブ間のウォブル位相が逆位相の場合において、Ｒ−ＰＰ信号検出回路による検出信号を示すグラフ図である。
図１２は、位相ズレとラジアルプッシュプル信号の振幅値ＭＢ、ＭＣとの関係を示すグラフ図である。
【００２８】
図６に示すように、隣接するグルーブ（例えばグルーブＧ０とグルーブＧ１）のウォブル間に位相ずれがない、すなわち隣接グルーブのウォブルが同位相となっている場合においては、ランドＬＢ及びＬＣのラジアルプッシュプル信号ＰＢ及びＰＣはそれぞれ図７の（ａ）、図７（ｂ）に示すような信号として検出される。
【００２９】
図８に示すように、隣接するグルーブ（例えばグルーブＧ０とグルーブＧ１）のウォブル間の位相が（１／２）ｘπ（πはウォブル周期）ずれた場合には、ラジアルプッシュプル信号ＰＢ及びＰＣはぞれぞれ図９の（ａ）、図９の（ｂ）に示すように、その信号振幅が小さくなる。
さらに、図１０に示すように隣接するグルーブ（例えばグルーブＧ０とグルーブＧ１）のウォブル間の位相がπずれた、すなわち逆位相となった場合には、ラジアルプッシュプル信号ＰＢ及びＰＣはそれぞれ図１１の（ａ）、図１１の（ｂ）に示すようにほとんど検出されなくなる。
【００３０】
このようにウォブル間の位相ズレが大きくなるに従い、ラジアルプッシュプル信号ＰＢ及びＰＣの信号振幅は小さくなる関係にあり、ウォブルが正弦波状に形成されている場合、この位相ズレ（ずれ）と振幅値の関係は図１２に示すように、
振幅値ＭＢ＝ＭＣ＝ｓ×｜ｃｏｓ（ｔ／２）｜（ｓは定数、ｔは位相ずれ量）
に略近い関係となる。
従って、この振幅値ＭＢもしくはＭＣを検出することによって、位相ズレ量を検出することが可能である。
【００３１】
なお、上述の第１の位相ズレ検出回路１５においては、検出精度を高めるためにラジアルプッシュプル信号ＰＢ及びＰＣの振幅値ＭＢとＭＣとを加算して位相ズレを検出する構成としているが、どちらか一方のラジアルプッシュプル信号ＰＢ，ＰＣの振幅値を検出するだけでも位相ズレ量を検出することは可能であり、
そういう構成の位相ズレ検出回路としても良い。
【００３２】
次に、本実施例の光ディスク記録装置における第２の位相ズレ検出回路について説明する。
図５は、本発明の光ディスク記録装置の実施例における第２の位相ズレ検出回路を示す構成図である。
同図に示すように、第２の位相ズレ検出回路１５Ａにおいて、ラジアルプッシュプル信号検出回路（以下、単にＲ−ＰＰ信号検出回路という）３１はランドＬＢの検出信号の差（ＳＢ１−ＳＢ２）を演算し、ラジアルプッシュプル信号ＰＢを得て、これを遅延回路３３へ出力する。
【００３３】
ラジアルプッシュプル信号検出回路（以下、単にＲ−ＰＰ信号検出回路）３２はランドＬＣの検出信号の差（ＳＣ１−ＳＣ２）を演算し、ラジアルプッシュプル信号ＰＣを得て、これを加算回路３４へ出力する。
遅延回路３３はサイドビームＲＢＢ及びサイドビームＲＢＣの光ディスク６上での照射位置の違いによって生じるラジアルプッシュプル信号ＰＢ及びラジアルプッシュプル信号ＰＣとの時間的なずれを補正し、ラジアルプッシュプル信号ＰＢを、ラジアルプッシュプル信号ＰＣと時間同期のとれた同期後ラジアルプッシュプル信号ＰＢＤにして加算回路３４へ出力する。
【００３４】
加算回路３４は同期後ラジアルプッシュプル信号ＰＢＤとラジアルプッシュプル信号ＰＣを加算し、加算信号ＰＳを得て、これをＢＰＦ（バンドパスフィルタ）３５へ出力する。
ＢＰＦ３５は加算信号ＰＳからウォブル周波数に対応した信号成分を抽出し、抽出信号ＷＳを振幅検出回路３６へ出力する。
振幅検出回路３６では抽出信号ＷＳの振幅の大きさを振幅値ＭＳとして検出し、それを位相ズレ情報として出力する。
【００３５】
ここで、この第２の位相ズレ検出回路１５Ａの原理について、上述の図６乃至１１及び図１３を用いて説明する。
上述の第１の位相ズレ検出回路で説明したように、図６に示すように、隣接するグルーブ（例えばグルーブＧ０とグルーブＧ１）のウォブルが同位相となっている場合において、ラジアルプッシュプル信号ＰＢ及びＰＣは図７の（ａ）及び図７の（ｂ）に示すような信号としてそれぞれ検出され、その加算信号ＰＳは図７の（ｃ）に示すような信号として検出される。
【００３６】
また、図８に示すように、隣接するグルーブ（例えばグルーブＧ０とグルーブＧ１）のウォブルの位相が（１／２）ｘπ（πはウォブル周期）ずれた場合には、ラジアルプッシュプル信号ＰＢ及びＰＣは図９の（ａ）及び図９の（ｂ）に示すようにそれぞれなるので、その加算信号ＰＳは図９の（ｃ）に示すようにその信号振幅が小さくなる。
さらに、図１０に示すように、隣接するグルーブ（例えばグルーブＧ０とグルーブＧ１）のウォブルの位相がπずれた、すなわち逆位相となった場合には、ラジアルプッシュプル信号ＰＢ及びＰＣは図１１の（ａ）及び図１１の（ｂ）にぞれぞれ示すようにほとんど検出されなくなるので、加算信号ＰＳも図１１の（ｃ）に示すようにほとんど検出されなくなる。
【００３７】
このようにウォブル間の位相ズレずれが大きくなるに従い、ラジアルプッシュプル信号ＰＢ及びＰＣの信号振幅が小さくなる関係にあるので、その加算信号ＰＳの信号振幅も小さくなる関係となっており、ウォブルが正弦波状に形成されている場合、この位相ズレｔと加算信号ＰＳの振幅値ＭＳの関係は図１３に示すように略比例関係となる。
従って、この加算信号ＰＳの振幅値ＭＳを検出することによっても位相ズレ量を検出することが可能であり、さらに振幅値ＭＳと位相ズレ量とが略比例関係となるので、第１の位相ずれ検出回路１５より、位相ズレ量を求めるのが一層容易となる。
【００３８】
なお、上記ではラジアルプッシュプル信号ＰＢの方を遅延回路に通す構成としたが、ラジアルプッシュプル信号ＰＢよりもラジアルプッシュプル信号ＰＣの方が時間的に進んでいる場合には、ラジアルプッシュプル信号ＰＣの方を遅延回路に通す構成とすれば良い。
【００３９】
次に、再度、図３に戻り、光ディスク記録装置について説明する。
位相ズレ検出回路１５（又は１５Ａ）から出力された位相ズレ情報はＣＰＵ２０へと送られる。
ＣＰＵ２０は、情報（データ）の記録時においては位相ズレ情報に基づいて予め設定されたテーブル値または計算値によってレーザの記録パワーを設定し、再生時においては所定の再生パワーを設定する。
【００４０】
ここで、このテーブル値または計算式による計算値は、位相ズレ量が大きい場合には、隣接グルーブ間に近接する箇所が存在し、クロスイレーズの可能性が大きくなるので、記録パワーが小さくなるように、位相ズレ量が小さい場合には上記のようなクロスイレーズの可能性は小さいので、記録品質を高めるために記録パワーが高くなるようにぞれぞれ予め設定されたものである。
【００４１】
記録パワーの設定値の一例を以下に説明する。
テーブル値の場合は、位相ずれ量ｔに応じて、ウォブル周期をπとすると、
（１）｜ｔ｜≦（１／４）πのとき、記録パワーは最大パワーＰｍａｘとする。
（２）（１／４）π＜｜ｔ｜≦（２／４）πのとき、記録パワーはＰｍａｘ×０．９６とする。
（３）（２／４）π＜｜ｔ｜≦（３／４）πのとき、記録パワーはＰｍａｘ×０．９２とする。
（４）（３／４）π＜｜ｔ｜≦（４／４）πのとき、記録パワーはＰｍａｘ×０．８４とする。
このようにして、位相ズレ量に応じた記録パワーを設定しテーブル値としておく。
【００４２】
計算式の場合は、位相ずれ量ｔに応じて、ウォブル周期をπとすると、
（１）０≦｜ｔ｜≦（１／４）πのとき、記録パワーは最大パワーＰｍａｘ（ｔ＝０のとき）（点Ａ）〜Ｐｍａｘ×０．９８（｜ｔ｜＝（１／４）πのとき）（点Ｂ）とする。ここで、ｔが点Ａと点Ｂの中間値をとるときは、点Ａ及び点Ｂを結ぶ直線上のｔに対応する記録パワー値を記録パワー値とする。
（２）（１／４）π≦｜ｔ｜≦（２／４）πのとき、記録パワーはＰｍａｘ×０．９８（｜ｔ｜＝（１／４）πのとき）（点Ｂ）〜Ｐｍａｘ×０．９４（｜ｔ｜＝（２／４）πのとき）（点Ｃ）とする。ここで、ｔが点Ｂと点Ｃの中間値をとるときは、点Ｂ及び点Ｃを結ぶ直線上のｔに対応する記録パワー値を記録パワー値とする。
【００４３】
（３）（２／４）π≦｜ｔ｜≦（３／４）πのとき、記録パワーはＰｍａｘ×０．９４（｜ｔ｜＝（２／４）πのとき）（点Ｃ）〜Ｐｍａｘ×０．８８（｜ｔ｜＝（３／４）πのとき）（点Ｄ）とする。ここで、ｔが点Ｃと点Ｄの中間値をとるときは、点Ｃ及び点Ｄを結ぶ直線上のｔに対応する記録パワー値を記録パワー値とする。
（４）（３／４）π≦｜ｔ｜≦（４／４）πのとき、記録パワーはＰｍａｘ×０．８８（｜ｔ｜＝（３／４）πのとき）（点Ｄ）〜Ｐｍａｘ×０．８０（｜ｔ｜＝（４／４）πのとき）（点Ｅ）とする。ここで、ｔが点Ｄと点Ｅの中間値をとるときは、点Ｄ及び点Ｅを結ぶ直線上のｔに対応する記録パワー値を記録パワー値とする。
このような近似式で、位相ズレ量に対応して記録パワーを計算して、設定する。
【００４４】
以上のように設定された記録パワー設定値、もしくは再生パワー設定値はＣＰＵ２０からパワー制御回路１９へ出力される。
パワー制御回路１９ではその設定値に基づいた記録パワーもしくは再生パワーとなるようにレーザ駆動回路１７を制御する。
レーザ駆動回路１７は記録時には記録データ生成回路１８からの記録データとパワー制御回路１９で制御された記録パワーでレーザ駆動信号を生成し、再生時にはパワー制御回路１９で制御された再生パワーでレーザ駆動信号を生成する。
これらのレーザ駆動信号によりＰＵ１０のレーザ１を駆動し、光ディスク６上への記録もしくは再生を行う。これによって、記録の際のクロスイレーズを防ぐと共に良好な記録を実現する。
【００４５】
なお、以上の説明では、位相ズレ情報（量）に応じてレーザの記録パワーをテーブル値や計算式によって設定するとしたが、キャリブレーション領域等で試し書きを行い最適レーザパワーを設定するシステムの場合には、試し書きにおける記録パワーの上限値又は上限値と下限値をテーブル値や計算式によって設定するようにしても良い。
また、上記実施例では一般的な円盤状の光ディスクについて説明したが、デジカードのようにカード状の光記録媒体であっても良い。
【００４６】
【発明の効果】
以上説明したように、本発明の光ディスク記録装置は、情報記録用グルーブとランドを介して隣接する情報記録用グルーブとから得られる再生信号レベルを検出して、所定レベルに対する、得られた前記再生信号レベルのレベル差を検出するレベル差検出手段と、前記再生信号から記録クロックを生成するクロック生成手段と、前記記録クロックと同期する、記録すべき記録信号を生成する記録信号生成手段と、前記レベル差に基づいて選択された、前記レベル差に対応して予め設定された前記記録パワーにより、前記記録信号を記録する記録手段と、を有することにより、ＣＬＶ方式の光記録媒体に情報を記録する際に、クロスイレーズを防止し、良好な記録を行うことのできる光ディスク記録装置を提供できるという効果がある。
【図面の簡単な説明】
【図１】本発明の光ディスク記録装置の実施例における光ピックアップを示す構成図である。
【図２】メインビームと２つのサイドビームの光ディスク上での照射位置を示す図である。
【図３】本発明の光ディスク記録装置の実施例を示す構成図である。
【図４】本発明の光ディスク記録装置の実施例における第１の位相ズレ検出回路を示す構成図である。
【図５】本発明の光ディスク記録装置の実施例における第２の位相ズレ検出回路を示す構成図である。
【図６】互いに隣接ずるグルーブ間のウォブル位相が同位相の場合におけるグルーブを示す図である。
【図７】互いに隣接ずるグルーブ間のウォブル位相が同位相の場合において、Ｒ−ＰＰ信号検出回路による検出信号を示すグラフ図である。
【図８】互いに隣接ずるグルーブ間のウォブル位相が（１／２）×πずれた場合におけるグルーブを示す図である。
【図９】互いに隣接ずるグルーブ間のウォブル位相が（１／２）×πずれた場合において、Ｒ−ＰＰ信号検出回路による検出信号を示すグラフ図である。
【図１０】互いに隣接ずるグルーブ間のウォブル位相が逆位相の場合におけるグルーブを示す図である。
【図１１】互いに隣接ずるグルーブ間のウォブル位相が逆位相の場合において、Ｒ−ＰＰ信号検出回路による検出信号を示すグラフ図である。
【図１２】位相ズレとラジアルプッシュプル信号の振幅値ＭＢ、ＭＣとの関係を示すグラフ図である。
【図１３】位相ズレとラジアルプッシュプル信号の振幅値ＭＳとの関係を示すグラフ図である。
【図１４】互いに隣接するグルーブ間におけるウォブル位相を示す図である。
【符号の説明】
１…レーザ、２…コリメータレンズ、３…回折格子、４…ビームスプリッタ、５…対物レンズ、６…光ディスク、７…検出レンズ、８Ａ，８Ｂ，８Ｃ…光検出器、１０…ピックアップ、１１…再生信号検出回路、１２…フォーカスエラー検出回路、１３…トラッキングエラー検出回路、１４…ウォブル信号検出回路、１５，１５Ａ…位相ズレ検出回路、１６…クロック生成回路、１７…レーザ駆動回路、１８…記録データ生成回路、１９…パワー制御回路、２０…ＣＰＵ、２１…Ｒ−ＰＰ信号検出回路、２２…Ｒ−ＰＰ信号検出回路、２３…ＢＰＦ、２４…ＢＰＦ、２５…振幅検出回路、２６…振幅検出回路、２７…加算回路、３１…Ｒ−ＰＰ信号検出回路、３２…Ｒ−ＰＰ信号検出回路、３３…遅延回路、３４…加算回路、３５…ＢＰＦ、３６…振幅検出回路、４１…サーボ回路、４２…波形等価回路、４３…２値化回路、４４…復号回路、４５…ＰＬＬ回路、５０…再生信号処理回路、１００，１００Ａ…光ディスク記録装置。
【図１】
2004127348.tif 000003
【図２】
2004127348.tif 000004
【図３】
2004127348.tif 000005
【図４】
2004127348.tif 000006
【図５】
2004127348.tif 000007
【図６】
2004127348.tif 000008
【図７】
2004127348.tif 000009
【図８】
2004127348.tif 000010
【図９】
2004127348.tif 000011
【図１０】
2004127348.tif 000012
【図１１】
2004127348.tif 000013
【図１２】
2004127348.tif 000014
【図１３】
2004127348.tif 000015
【図１４】
2004127348.tif 000016